(57)【要約】【課題】ガス供給装置の点火スイッチを操作するに際し、操作感を軽くできる点火操作部を備えたコンロを提供する。【解決手段】点火ボタン４３の点火操作開始時、点火ボタン４３の背面側の第一当接面６１が点火スイッチ９８に当接する。点火操作が進行するにつれ、点火スイッチ９８との当接位置は、第一当接面６１から第二当接面６２側に変位する。点火スイッチ９８の押し込みを完了させる際、点火スイッチ９８に対して第二当接面６２が当接する。そのような点火操作の末期において、指掛け部４５２と上部傾斜面４５１の境界部４５５と、点火スイッチ９８と第二当接面６２の当接位置とを結ぶ仮想直線Ｑは、点火スイッチ９８の押し込み方向Ｐに沿った方向に延びている。これにより、使用者による押し込み力をダイレクトに点火スイッチに作用させることができるので、軽い操作感で点火スイッチを押し切ることができる。【選択図】図１３
2018017443.tif 000002
【特許請求の範囲】
【請求項１】
バーナに燃料ガスを供給するガス供給装置を備え、前記ガス供給装置から前方に延びる点火スイッチを後方に押し込むことにより、前記ガス供給装置内に設けられた開弁装置を押し開き、前記バーナに前記燃料ガスを供給可能にするコンロにおいて、
前記ガス供給装置の前側に設けられると共に、左右方向に軸心を有する揺動軸により軸支され、点火操作により、前記揺動軸周りに揺動される点火操作部を備え、
前記点火操作部の前記ガス供給装置に対向する背面側には、前記点火スイッチに当接して前記点火スイッチを後方に押し込む為の当接部が設けられ、
前記当接部は、
前記点火操作を開始する際に、前記点火スイッチと当接する第一当接部と、
前記第一当接部よりも下方前方に位置し、前記点火操作により、前記点火操作部が前記揺動軸周りに後方に揺動され、前記点火スイッチの押し込みを完了させる際に、前記点火スイッチと対向して当接する第二当接部と
を備え、
前記点火操作部は、
前面部のうち少なくとも上部に設けられ、上側から下側に延びる平面部と、
前記平面部の下端から前方に張り出し、使用者が指を掛ける為の指掛け部と
を備え、
前記点火操作のうち、前記点火スイッチの押し込みを完了させる末期において、前記点火操作部を側面から見た場合に、前記指掛け部における前記平面部の前記下端と接続する基端部と、前記点火スイッチと前記第二当接部の当接位置とを結ぶ仮想直線は、前記点火スイッチの押し込み方向に沿った方向に延びていること
を特徴とするコンロ。
【請求項２】
前記第一当接部及び前記第二当接部は夫々平坦部で形成されていること
を特徴とする請求項１に記載のコンロ。
【請求項３】
前記第二当接部は、前記点火スイッチの押し込みを完了させる際に、前記押し込み方向において、前記点火スイッチに対して正対して当接すること
を特徴とする請求項１又は２に記載のコンロ。
【発明の詳細な説明】
【技術分野】
【０００１】
本発明は、コンロに関する。
【背景技術】
【０００２】
従来、横方向に延びる揺動軸を中心に揺動自在に設けられた点火操作部で、ガス供給装置の点火スイッチを押し込むように構成されたコンロが知られている（例えば、特許文献１，２参照）。
【先行技術文献】
【特許文献】
【０００３】
【特許文献１】実開昭６２−９６３号公報
【特許文献２】特開２０１４−５４４６５号公報
【発明の概要】
【発明が解決しようとする課題】
【０００４】
上記構成のコンロでは、点火ボタンが揺動軸を中心に揺動するため、点火ボタンの点火スイッチを押し込む部分が円軌道を描く。このため、点火スイッチに押し込み力をダイレクトに伝達することが難しく、操作感が重くなるという問題点があった。特に、点火スイッチは、押し込み完了付近においてガス供給装置内のガス通路に設けられた開弁装置を開放するように構成されているので、押し込み完了時に大きさ操作力が必要となり、益々操作感が重くなるという問題点もあった。
【０００５】
本発明の目的は、ガス供給装置の点火スイッチを操作するに際し、操作感を軽くできる点火操作部を備えたコンロを提供することである。
【課題を解決するための手段】
【０００６】
請求項１に係る発明のコンロは、バーナに燃料ガスを供給するガス供給装置を備え、前記ガス供給装置から前方に延びる点火スイッチを後方に押し込むことにより、前記ガス供給装置内に設けられた開弁装置を押し開き、前記バーナに前記燃料ガスを供給可能にするコンロにおいて、前記ガス供給装置の前側に設けられると共に、左右方向に軸心を有する揺動軸により軸支され、点火操作により、前記揺動軸周りに揺動される点火操作部を備え、前記点火操作部の前記ガス供給装置に対向する背面側には、前記点火スイッチに当接して前記点火スイッチを後方に押し込む為の当接部が設けられ、前記当接部は、前記点火操作を開始する際に、前記点火スイッチと当接する第一当接部と、前記第一当接部よりも下方前方に位置し、前記点火操作により、前記点火操作部が前記揺動軸周りに後方に揺動され、前記点火スイッチの押し込みを完了させる際に、前記点火スイッチと対向して当接する第二当接部とを備え、前記点火操作部は、前面部のうち少なくとも上部に設けられ、上側から下側に延びる平面部と、前記平面部の下端から前方に張り出し、使用者が指を掛ける為の指掛け部とを備え、前記点火操作のうち、前記点火スイッチの押し込みを完了させる末期において、前記点火操作部を側面から見た場合に、前記指掛け部における前記平面部の前記下端と接続する基端部と、前記点火スイッチと前記第二当接部の当接位置とを結ぶ仮想直線は、前記点火スイッチの押し込み方向に沿った方向に延びていることを特徴とする。
【０００７】
請求項２に係る発明のコンロは、請求項１に記載の構成に加え、前記第一当接部及び前記第二当接部は夫々平坦部で形成されていることを特徴とする。
【０００８】
請求項３に係る発明のコンロは、請求項１又は２に記載の構成に加え、前記第二当接部は、前記点火スイッチの押し込みを完了させる際に、前記押し込み方向において、前記点火スイッチに対して正対して当接することを特徴とする。
【発明の効果】
【０００９】
請求項１に係る発明のコンロによれば、点火操作部を操作するに際しては、指掛け部に指をかけ斜め下方向に力を加える。すると、点火操作部は、操作軸周りにコンロの奥方向に向けて揺動するが、筺体の奥側に向けて引っ込むように移動する為、押し込み操作が進むにつれて、力を加える方向が次第に斜め下方向から水平方向に変位し、力を加える位置も指掛け部から、平面部側に向けて変位する。この過程において、点火スイッチは、点火操作開始時においては、点火操作部の第一当接部に当接し、この第一当接面により後方に向けて力が加えられるが、点火操作部の揺動に伴い、次第に当接箇所が第二当接部方向へ変位する。そして、点火操作が末期にさしかかると、点火スイッチは第二当接部に当接されて押下され、開弁装置を押し開く。そして、本発明によれば、点火操作の末期において、指掛け部の基端部と、点火スイッチと第二当接部の当接位置とを結ぶ仮想直線が、点火スイッチの押し込み方向に沿った方向に延びている。これにより、使用者による押し込み力をダイレクトに点火スイッチに作用させることができるので、軽い操作感で点火スイッチを押し切ることができる。
【００１０】
請求項２に係る発明のコンロでは、請求項１に記載の効果に加え、第一当接部及び第二当接部は夫々平坦部で形成されているので、点火操作部の力を点火スイッチに対して作用させ易くすることができる。
【００１１】
請求項３に係る発明のコンロでは、請求項１又は２に記載の効果に加え、使用者による押し込み力をよりダイレクトに点火スイッチに作用させることができる。
【００１２】
なお、本発明は、請求項１〜３に記載された発明特定事項の一部を任意に組み合わせてもよい。
【図面の簡単な説明】
【００１３】
【図１】コンロ１の斜視図である。
【図２】コンロ１の正面図である。
【図３】コンロ１の左側面図である。
【図４】左前パネル２５周囲を部分的に拡大した斜視図（点火操作前）である。
【図５】左前パネル２５周囲を部分的に拡大した正面図（点火操作前）である。
【図６】図５に示すＩ−Ｉ線矢視方向断面図である。
【図７】点火ボタン４３の左斜め前方から見た斜視図である。
【図８】点火ボタン４３の左斜め後方から見た斜視図である。
【図９】図６に示す状態から点火ボタン４３を押し込んだ状態の点火操作初期の図である。
【図１０】図９に示す状態から点火ボタン４３をさらに押し込んだ状態の点火操作中期の図である。
【図１１】左前パネル２５周囲を部分的に拡大した斜視図（点火操作末期）である。
【図１２】左前パネル２５周囲を部分的に拡大した正面図（点火操作末期）である。
【図１３】図１２に示すＩＩ−ＩＩ線矢視方向断面図である。
【図１４】左前パネル２５周囲を部分的に拡大した斜視図（点火操作後）である。
【図１５】左前パネル２５周囲を部分的に拡大した正面図（点火操作後）である。
【図１６】図１５に示すＩＩＩ−ＩＩＩ線矢視方向断面図である。
【図１７】点火操作中における点火ボタン４３の角部Ｅの軌道Ｒを示す図（点火操作中期）である。
【発明を実施するための形態】
【００１４】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１５】
図１〜図４を参照し、コンロ１の外観構造を説明する。コンロ１は、グリル付きテーブルコンロである。コンロ１は、筐体２と天板３を備える。筐体２は、上部が開口する略直方体状に形成されている。天板３は、筐体２の開口する上部にネジ（図示略）で固定されている。天板３の右側には、バーナ開口部２０１が設けられ、左側には、バーナ開口部２０２が設けられている。それらバーナ開口部２０１，２０２の夫々の内側を上下に挿通するように、右コンロバーナ５と左コンロバーナ６が設けられている。天板３の後端側には、排気口部９が設けられている。排気口部９は、筐体２内に設置されたグリル庫（図示略）内のガス燃焼によって生じた燃焼ガスを外部に排出する。排気口部９には、複数のスリット１９１を備える安全カバー１９０が上側から装着されている。
【００１６】
筐体２は、筐体本体部２０、右前パネル２４、左前パネル２５等を互いに組み付け、ネジ（図示略）で固定することで構成されている。筐体本体部２０は、前側が開口する平面視略Ｕ字形状に形成されている。筐体本体部２０は、板金部材で形成され、右側板部２１、左側板部２２、後板部２３（図３参照）を備える。後板部２３は、右側板部２１及び左側板部２２の夫々の後端部同士を繋いでいる。筐体本体部２０の開口する前側部分において、右側板部２１の前端部の上部と、左側板部２２の前端部の上部との間には、金属製の上梁部（図示略）が略水平に渡設されている。右側板部２１の前端部の下部と、左側板部２２の前端部の下部との間には、金属製の下梁部（図示略）が渡設されている。
【００１７】
図１，図２に示すように、筐体本体部２０の開口する前側部分の右側には、右前パネル２４がネジ（図示略）で固定され、左側には、左前パネル２５がネジ（図示略）で固定されている。右前パネル２４と左前パネル２５の夫々の前面部は、上端部から下側になるにつれて前方に傾斜している（図１，図３，図４参照）。それ故、使用者がコンロ１の前面を前側から見下ろした場合、右前パネル２４と左前パネル２５の夫々の前面部が使用者の視線に対向するので、コンロ１の前面の視認性を向上できる。右前パネル２４と左前パネル２５に挟まれる中央部には、正面視略矩形状の開口部（図示略）が設けられている。該開口部の後ろ側には、グリル庫の前側に設けられたグリル開口（図示略）が配置される。開口部には、グリル扉１０が前後方向に移動可能に設けられ、グリル開口を開閉する。グリル扉１０の前面部は、右前パネル２４と左前パネル２５の夫々の前面と同一角度で、上端部から下側になるにつれて前方に傾斜している。グリル扉１０の前面部には、前方に突出する取手部１０１が設けられている。使用者が取手部１０１を手前側に引き出すと、グリル扉１０の背面下部に連結した受皿と焼き網（図示略）を、グリル庫内から同時に取り出すことができる。
【００１８】
右前パネル２４の前面部におけるグリル扉１０の右隣には、点火ボタン４１が設けられている。その右隣には、点火ボタン４２が設けられている。左前パネル２５の前面部におけるグリル扉１０の左隣には、点火ボタン４３が設けられている。点火ボタン４１を押し込むと、右コンロバーナ５が点火され、再度押し込むと消火される。点火ボタン４２を押し込むと、グリル庫内に設置されたグリルバーナ（図示略）が点火され、再度押し込むと消火される。点火ボタン４３を押し込むと、左コンロバーナ６が点火され、再度押し込むと消火される。点火ボタン４３の左隣には、電池ボックス７０が手前に引き出し可能に設けられている。電池ボックス７０は、コンロ１に電源を供給する乾電池（図示略）を格納する。電池ボックス７０の直上には、乾電池の電圧低下を報知する為のＬＥＤ１７が設けられている。
【００１９】
点火ボタン４１の上方には、火力調節レバー１１１が設けられている。点火ボタン４２の上方には、火力調節レバー１２１が設けられている。点火ボタン４３の上方には、火力調節レバー１３１が設けられている。火力調節レバー１１１は、右前パネル２４の後方に設けられた右コンロバーナ５用のガス量調節装置（図示略）の後述するブラケットに軸支されている。火力調節レバー１１１は、ブラケットを中心とする左右方向の回動操作により、ガス量調節装置を操作し、右コンロバーナ５の火力調節を行う。火力調節レバー１２１は、右前パネル２４の後方に設けられたグリルバーナ用のガス量調節装置（図示略）の後述するブラケットに軸支されている。火力調節レバー１２１は、ブラケットを中心とする左右方向の回動操作により、ガス量調節装置を操作し、グリルバーナの火力調節を行う。火力調節レバー１３１は、左前パネル２５の後方に設けられた左コンロバーナ６用のガス供給装置９０（図６参照）の後述するブラケット１０３に軸支されている。火力調節レバー１３１は、ブラケット１０３を中心とする左右方向の回動操作により、ガス量調節装置９０を操作し、左コンロバーナ６の火力調節を行う。
【００２０】
点火ボタン４１の下方には、ロック操作部１１２が設けられている。点火ボタン４２の下方には、ロック操作部１２２が設けられている。点火ボタン４３の下方には、ロック操作部１３２が設けられている。ロック操作部１１２，１２２，１３２は、点火ボタン４１〜４３に夫々対応するチャイルドロック機構（図示略）を操作するレバー部材である。ロック操作部１１２は、点火許容位置とロック位置との間を左右方向にスライドさせることによって、点火ボタン４１の押し込み操作を可能、又は不能にする。ロック操作部１２２は、点火許容位置とロック位置との間を左右方向にスライドさせることによって、点火ボタン４２の押し込み操作を可能、又は不能にする。ロック操作部１３２は、点火許容位置とロック位置との間を左右方向にスライドさせることによって、点火ボタン４３の押し込み操作を可能、又は不能にする。
【００２１】
図４〜図６を参照し、左前パネル２５の構造を説明する。なお、右前パネル２４の構造は、左前パネル２５の構造と同様であるので、説明を省略する。図４，図５に示すように、左前パネル２５は、使用者側に対向する前面部２６を備える。前面部２６は、上部傾斜面２６１、下部傾斜部２６２、湾曲部２６３等を備える。上部傾斜面２６１は、前面部２６の上端部から下側になるにつれて前方に傾斜する部分である。下部傾斜部２６２は、前面部２６の下端部において下側になるにつれて後方に傾斜する部分である。湾曲部２６３は、上部傾斜面２６１と下部傾斜部２６２を湾曲状に繋ぐ部分である。これにより、前面部２６は、上下方向の中央位置よりもやや下側の位置において前方向に突出する側面視略Ｌ字状に形成されている（図３，図４参照）。上部傾斜面２６１の上下幅は、湾曲部２６３の上下幅よりも広く形成されている。それ故、使用者の視線は、湾曲部２６３に比べて上部傾斜面２６１に集中し易くなっている。
【００２２】
図４，図５に示すように、前面部２６の右側には、点火ボタン４３用の開口部３３が設けられている。開口部３３は、正面視やや横長の略矩形状に形成されている。開口部３３の下方には、開口部３３よりも小さい正面視横長の略矩形状の開口部３５が設けられている。前面部２６の左側であって、上部傾斜面２６１の下部と、湾曲部２６３と、下部傾斜部２６２とを少なくとも含む領域には、電池ボックス７０用の開口部３４が設けられている。開口部３４は、正面視やや縦長の略矩形状に形成されている。開口部３４の上端部の位置は、開口部３３の上端部の位置と同一である。開口部３４の下端部の位置は、開口部３３の下端部の位置よりも下側である。開口部３４は、電池ボックス７０の前端部に設けられた蓋部７２によって閉じられる。開口部３４の左上角部の上方には、略円形状の孔部３６が設けられている。孔部３６は、左前パネル２５の背面側に取り付けられる回路基板（図示略）上のＬＥＤ１７を外部に露出させる。
【００２３】
図６に示すように、前面部２６の背面側において、開口部３３の周縁部に沿うようにして、支持枠８０が固定されている。支持枠８０は、背面視略矩形枠状に形成され、上枠部８１、左右一対の縦枠部８２（図６では右側の縦枠部８２のみ図示）、下枠部８３を備える。上枠部８１は左右方向に延び、開口部３３の周縁部のうち上側部分に沿って配置される。左右一対の縦枠部８２は、上枠部８１の左右両端から鉛直下方に延び、開口部３３の周縁部のうち左右両側部分に沿って配置される。各縦枠部８２は、面方向を左右方向に向けた板状に形成されている。各縦枠部８２の上部には、左右方向に貫通する軸支穴８２１が設けられている。下枠部８３は、一対の縦枠部８２の夫々の下端部の間に渡設され、開口部３３の周縁部のうち下側部分に沿って配置される。
【００２４】
下枠部８３には、スライド部材１３が左右方向にスライド移動可能に支持されている。スライド部材１３は、平面視左右方向に延びる板状に形成され、その上面の左右両端部には、上方向に突出する突起部１３３（片方のみ図示）が夫々設けられている。スライド部材１３の前端部の略中央部には、上述のロック操作部１３２が設けられている。ロック操作部１３２は、前方向に突出する棒状に形成されている。ロック操作部１３２は、開口部３５を介して前方に突出し、開口部３５内を左右方向に移動可能である。スライド部材１３は、点火ボタン４３を操作不能にするチャイルドロック機構を構成する。チャイルドロック機構の仕組みについては後述する。
【００２５】
図６を参照し、ガス供給装置９０の構造を説明する。ガス供給装置９０は、筐体２内の前側で、且つ左前パネル２５の点火ボタン４３の後方に設けられている。ガス供給装置９０は、左コンロバーナ６に供給するガス量を調節する。ガス供給装置９０は、点火消火機構９１、ガス量増減機構９２、火力調節機構９３を備える。点火消火機構９１は、ガス供給装置９０の下部に設けられ、点火ボタン４３の押し込み操作により、左コンロバーナ６の点火消火を行う。ガス量増減機構９２は、ガス供給装置９０の中央部に設けられ、左コンロバーナ６に供給するガス量の増減を行う。火力調節機構９３は、ガス供給装置９０の上部に設けられ、火力調節レバー１３１の回動操作に応じて、ガス量増減機構９２のガス量増減の調節を行うことにより、左コンロバーナ６の火力調節を行う。
【００２６】
点火消火機構９１は、バルブボディ９５を備える。バルブボディ９５は、ガス供給装置９０の下部に設けられ、前後方向に延びる略円筒状に形成されている。バルブボディ９５は内部にガス流路を備える。ガス流路はバルブボディ９５の軸方向に延びる。バルブボディ９５のガス流路内には、スピンドル９６が挿入されている。スピンドル９６は、該流路に沿って進退可能である。バルブボディ９５の前端部には、略桿状の点火スイッチ９８が設けられている。点火ボタン４３は、非操作状態において、点火ボタン４３の背面側に設けられた後述する第一当接面６１と当接する。点火スイッチ９８は、点火ボタン４３の押し込み操作によって後方に押し込まれると、スピンドル９６を後方に押す。スピンドル９６は、戻しバネ９７によって前方へ常時付勢されている。
【００２７】
スピンドル９６は、点火ボタン４３による押し込み操作により、メイン弁（図示略）を押し開き、後述する吐出口１０２へのガス流路を開閉する。マグネット式安全弁９９は、点火操作により押下されてガス流路を開き、左コンロバーナ６燃焼時の熱起電力によって開弁状態に保持する。マグネット式安全弁９９の下部近傍には、ガス流入口（図示略）が設けられている。ガス流入口は、バルブボディ９５のガス流路内にガスを流入させる。ガス流路は、ガス量増減機構９２内のガス流路に接続する。
【００２８】
バルブボディ９５の前側には、ケーシング１０５が設けられている。ケーシング１０５は上下方向に延びる略円筒状に形成され、バルブボディ９５と同軸上に配置されている。ケーシング１０５内には、点火スイッチ９８がプッシュバネ（図示略）を介して嵌め込まれている。点火スイッチ９８は、ケーシング１０５の前端側から前方に突出している。点火スイッチ９８の下部には、プッシュプッシュ機構（図示略）が設けられている。プッシュプッシュ機構は、点火時と消火時とで交互に点火スイッチ９８の進退位置を決定する。プッシュプッシュ機構は、点火操作における点火ボタン４３の押し込みが解放されると、メイン弁を開弁したまま、マグネット式安全弁９９を閉弁可能状態とする所定位置まで後退して点火スイッチ９８を係止する。また、消火操作における点火ボタン４３の押し込みを解放すると、点火スイッチ９８の係止を解除し、所定ストロークだけ前方にスピンドル９６を戻して、メイン弁を閉弁させる。
【００２９】
ガス量増減機構９２は、上下方向に延びる略筒状の機体部９２１を備える。機体部９２１内には上下方向に延びるガス流路（図示略）が形成され、バルブボディ９５内のガス流路と接続する。機体部９２１の上部は斜め後方に屈曲し、その後端部には、吐出口１０２が設けられている。吐出口１０２は、機体部９２１のガス流路を流れたガスを吐出する。吐出口１０２は、左コンロバーナ６のスロート部６Ａに設けられた流入口６Ｂと対向する。それ故、吐出口１０２から吐出されたガスは、流入口６Ｂからスロート部６Ａ内に流入し、左コンロバーナ６に供給される。機体部９２１のガス流路内には、ニードル弁（図示略）が設けられている。ニードル弁は、火力調節レバー１３１の回動操作に応じて、ガス流路内を上下方向に移動される。ニードル弁が上下方向に移動すると、ガス流路から吐出口１０２へ流れるガスの通路面積が増減する。これにより、ニードル弁の弁開度が調節され、左コンロバーナ６に供給されるガス量が調節される。
【００３０】
火力調節機構９３は、ブラケット１０３と火力調節レバー１３１を備える。ブラケット１０３は、火力調節レバー１３１を回動可能に軸支する。火力調節レバー１３１は、左右方向における回動操作によって、機体部９２１のガス流路内に設けられたニードル弁を上下方向に移動させる。これにより、吐出口１０２から吐出されるガス量が増減するので、左コンロバーナ６の火力調節を行うことができる。
【００３１】
図７，図８を参照し、点火ボタン４３の構造を説明する。なお、本実施形態では、点火操作前の点火ボタン４３の姿勢（図４〜図６参照）を基本姿勢とし、その基本姿勢における方向で構造を説明する。点火ボタン４３は、例えば樹脂による一体成型品である。点火ボタン４３は、正面視略矩形状で、且つ背面側が開口された略箱状に形成され、前面部４５、右面部４６（図８参照）、左面部４７、上面部４８、底面部４９を備える。
【００３２】
図７に示すように、前面部４５は、上から順に、上部傾斜面４５１、指掛け部４５２、下部傾斜面４５３を備える。上部傾斜面４５１は、前面部４５の上部に設けられ、上側から下側になるにつれて前側に傾斜する。上部傾斜面４５１の傾斜角度は、左前パネル２５の上部傾斜面２６１の傾斜角度と同一である。指掛け部４５２は、使用者が指を掛けて押し込む部分であり、上部傾斜面４５１の下端から前方に且つ略水平に張り出している。指掛け部４５２は、平面視略矩形状に形成され、その前端側の左右の両角部は略円弧状に形成されている。指掛け部４５２の上面の前端側には、滑り止め用の３つの凸部５７が横並びに形成されている。下部傾斜面４５３は、上部傾斜面４５１の下端に接続し、上部傾斜面４５１と同様に、上側から下側になるにつれて前側に傾斜し、その下部において後方に湾曲しながら底面部４９の前端部に接続する。
【００３３】
上面部４８は、点火ボタン４３の上部に設けられ、平面視左右方向に長い略矩形状に形成されている。上面部４８は、上部傾斜面４５１の上端と接続する。上面部４８の上面には、点火標識部４８１が設けられている。点火標識部４８１は、上面部４８よりも小さい平面視左右方向に長い略矩形状で且つ凹状に窪んで形成され、その内側の底面には、点火標識シールが貼付されている。点火標識シールは、左コンロバーナ６が点火されていることを使用者に知らせる為のシールである。点火標識シールは、単色又は模様の何れも採用でき、単色であれば、例えばオレンジ色、赤色、黄色等のような目立つ色が好ましい。また、点火標識シール以外に、例えばペンキ等の塗料を塗ってもよく、又は別部材を固定してもよい。また、点火標識部４８１は、点火されていることを示すことができればよいので、色の標識以外に、例えば文字、図形、マーク、若しくは凹凸面等を施してもよい。
【００３４】
右面部４６は、前面部４５の右端部から後方に延びる。右面部４６の外面において、指掛け部４５２よりも上方で、且つ上部傾斜面４５１よりも後方であって、さらに上面部４８よりも下方の位置には、右側方に突出する棒状の揺動軸５１が設けられている。左面部４７は、前面部４５の左端部から後方に延びる。左面部４７と右面部４６は互いに対向する。左面部４７の外面において、指掛け部４５２よりも上方で、且つ上部傾斜面４５１よりも後方であって、さらに上面部４８よりも下方の位置には、左側方に突出する棒状の揺動軸５２が設けられている。揺動軸５１と５２は、左右方向に延びる同一軸心を有する。
【００３５】
底面部４９は、下部傾斜面４５３の下端部から後方に向けて略水平に延び、且つ右面部４６の下端部と左面部４７の下端部との間に渡設されている。底面部４９の下面の右端部には、被係止部５４が設けられている。被係止部５４は、右面部４６の下端部から底面部４９よりも下方に突出し、右側面視略台形状で且つ底面視略Ｌ字状に形成されている。底面部４９の下面の左端部には、被係止部５５が設けられている。被係止部５５は、被係止部５４と左右対称形状であって、左面部４７の下端部から底面部４９よりも下方に突出し、左側面視略台形状で且つ底面視略Ｌ字状に形成されている。
【００３６】
図８に示すように、点火ボタン４３の背面側には、前面部４５、右面部４６、左面部４７、上面部４８、及び底面部４９によって周囲を覆われた空洞が形成されている。その空洞を上下に仕切るようにして、前面部４５の上下方向中段よりもやや上側の位置には、リブ状の壁部５８が設けられている。壁部５８は、前面部４５の背面から後方に向けて略水平に延びる。その壁部５８の下面における略中央部には、当接部６０が設けられている。当接部６０は、前面部４５の背面から後方に向けて略水平に突出する略角柱状に形成されている。当接部６０は、ガス供給装置９０の点火スイッチ９８の先端部に当接し、点火ボタン４３の押し込み力を点火スイッチ９８に伝達させる。本実施形態の当接部６０は、例えば肉抜き成形によって複数のリブ６０１で構成され、十分な強度を保持している。
【００３７】
当接部６０の後方に突出する後端面は、角度が互いに異なる側面視略Ｌ字状の二面で構成され、第一当接面６１と第二当接面６２を備える。第一当接面６１と第二当接面６２は、夫々複数のリブ６０１の各端面で平坦部を形成する。第一当接面６１は、当接部６０の後端面の上側に形成され、鉛直方向に平行な平坦部を形成する（図６参照）。第二当接面６２は、第一当接面６１よりも下方前方に位置し、第一当接面６１の下端部から前側に対して斜め下方に傾斜する平坦部を形成する（図６参照）。第一当接面６１は、点火ボタン４３の非操作状態（点火操作前）において、点火スイッチ９８と正対して当接する部位である。第二当接面６２は、点火操作により、点火ボタン４３が揺動軸５１，５２周りに後方に揺動され、点火スイッチ９８の押し込みを完了させる際に、点火スイッチ９８と正対して当接する部位である。上記の通り、第一当接面６１及び第二当接面６２は、複数のリブ６０１の各端面によって形成された平坦部であるので、点火ボタン４３の押し込み力を、点火スイッチ９８に対して作用させ易くすることができる。
【００３８】
図６を参照し、点火操作前において、点火ボタン４３が基本姿勢を保持する仕組みを説明する。左前パネル２５の開口部３３に沿って固定された支持枠８０の内側に対し、点火ボタン４３が背面側から挿入され、点火ボタン４３の揺動軸５１，５２が、各縦枠部８２の軸支穴８２１に軸支される。これにより、点火ボタン４３が支持枠８０の内側において揺動可能に支持される。点火ボタン４３を基本姿勢に保持した状態では、点火ボタン４３の重心は、揺動軸５１，５２よりも斜め前方に位置する。それ故、支持枠８０に軸支された状態では、点火ボタン４３は、揺動軸５１，５２を中心に自然に後方に揺動する。よって、仮にガス供給装置９０を取り除いた状態では、上下方向に対して下側部分が後方に傾斜した姿勢で止まるようになっている。本実施形態では、点火ボタン４３の後方には、ガス供給装置９０が設けられ、点火ボタン４３の当接部６０の第一当接面６１に対し、ガス供給装置９０の点火スイッチ９８の先端部が後方から当接する。それ故、点火ボタン４３は、前方にやや押されるので、点火操作前の状態において、指掛け部４５２が略水平となる基本姿勢を保持できる。
【００３９】
図６を参照し、点火ボタン４３のチャイルドロック機構の仕組みを説明する。例えば、点火操作前の状態で、ロック操作部１３２をロック位置（右方位置）に移動すると、スライド部材１３はロック位置に移動される。すると、点火ボタン４３の一対の被係止部５４，５５の後方に、スライド部材１３の上面に設けられた一対の突起部１３３が夫々配置される。これにより、点火ボタン４３を押し込んでも、点火ボタン４３の一対の被係止部５４，５５が、スライド部材１３の一対の突起部１３３に係止するので、点火ボタン４３の押し込み操作を不能にできる。そして、点火ボタン４３のロックを解除する為に、ロック操作部１３２を点火許容位置（左方位置）に移動すると、スライド部材１３は点火許容位置に移動される。すると、点火ボタン４３の被係止部５４，５５に係止していたスライド部材１３の一対の突起部１３３は左方にずれるので、点火ボタン４３は揺動可能となる。これにより、点火ボタン４３の押し込み操作が可能となる。
【００４０】
図４〜図１６を参照し、点火ボタン４３による左コンロバーナ６の点火操作を説明する。本実施形態では、点火操作前、点火操作初期〜中期、点火操作末期〜点火操作完了時、点火操作後の４つの場面に分けて順に説明する。
［点火操作前］
図４〜図６に示すように、点火操作前では、点火ボタン４３は基本姿勢に保持される。このとき、点火ボタン４３は、開口部３３を塞ぐようにして配置される（図４，図５参照）。指掛け部４５２は略水平な状態であり、グリル扉１００の取手部１０１と同一位置に配置される。点火ボタン４３の上部傾斜面４５１は、左前パネル２５の上部傾斜面２６１と同一角度に傾斜して配置される。点火ボタン４３の下部傾斜面４５３は、左前パネル２５の上部傾斜面２６１の下部の傾斜形状と、湾曲部２６３の湾曲形状とに沿う様にして配置される。つまり、点火ボタン４３の前面部４５の形状が、左前パネル２５の前面部２６の形状に沿うようにして配置されるので、点火ボタン４３は、左前パネル２５の一部分として認識され、凹凸の無いシンプルなデザインとして、使用者に認識される。よって、左前パネル２５の前面部２６の美観を向上できる。なお、点火ボタン４３の上面部４８は、開口部３３に埋没して隠れているので、使用者は、点火標識部４８１を視認できない。
【００４１】
［点火操作初期〜中期］
図６に示すように、使用者は、左コンロバーナ６を点火する為に、点火ボタン４３の指掛け部４５２に指を掛ける。基本姿勢の指掛け部４５２は略水平な状態であるので、使用者は、指掛け部４５２のうち手前側である前端側に指を掛け、そのまま斜め下方向（押し込み方向Ｐ）に押し込む。すると、図９に示すように、点火ボタン４３は、揺動軸５１，５２を中心に後方に揺動する。これに伴い、点火ボタン４３の第一当接面６１は、点火スイッチ９８を後方に押し込む。点火操作開始時では、図６に示すように、第一当接面６１は、点火スイッチ９８に正対して当接しているので、点火ボタン４３の押し込み力を、点火スイッチ９８にダイレクトに伝達させ易い。点火スイッチ９８が後方に押し込まれると、戻しバネ９７の付勢力に抗して、スピンドル９６が後方に徐々に押し込まれる。図９に示すように、点火ボタン４３が後方に揺動すると、それまで開口部３３の内側に隠れていた上面部４８が前方に揺動するので、点火標識部４８１が徐々に露出される。
【００４２】
そして、図９，図１０に示すように、指掛け部４５２は円弧状の軌跡を描きながら斜め下方に揺動するので、前端側が徐々に下方に傾く。これにより、指掛け部４５２の前端側に掛けていた使用者の指は、指掛け部４５２に沿って上方に滑り出す。さらに、点火ボタン４３の押し込み操作が進むにつれて、押し込み方向Ｐは次第に斜め下方向から略水平方向に向けて変位することから、力を加える位置も、指掛け部４５２から上部傾斜面４５１側に向けて移動する。
【００４３】
他方、点火ボタン４３の背面側においては、点火ボタン４３が揺動するに従い、当接部６０の点火スイッチ９８との当接位置は、第一当接面６１から第二当接面６２に次第に変位する（図１０参照）。そして、第二当接面６２は、点火操作初期の状態から徐々に起き上がり、点火スイッチ９８を後方にさらに押し込む。
【００４４】
［点火操作末期〜点火操作完了時］
図１１〜図１３に示すように、点火操作末期では、上面部４８が前方にさらに揺動するので、点火標識部４８１がさらに露出される。そして、点火ボタン４３の第二当接面６２は、点火スイッチ９８に正対しつつ点火スイッチ９８を後方にさらに押し込む。そして、図１３に示すように、スピンドル９６がさらに後方に押し込まれ、スピンドル９６に設けられたメイン弁によって吐出口１０２へのガス流路が開かれる。戻しバネ９７は大きく圧縮されるため、ガス流路を開き切る為に必要な点火ボタン４３の押し込み力は強くなる。ここで、本実施形態では、点火ボタン４３と点火スイッチ９８を側面から見た場合に、点火ボタン４３の第二当接面６２は、第一当接面６１より下方前方に位置する。これにより、揺動軸５１，５２と、点火ボタン４３の第二当接面６２（点火スイッチ９８との当接位置）との距離Ｌ２（図１３参照）は、点火操作開始時における揺動軸５１，５２と第一当接面６１（点火スイッチ９８との当接位置）との距離Ｌ１（図６参照）よりも大きくなっている。よって、コンロ１では、点火操作開始時に比べ、点火操作を完了させるときの方が、大きなトルクを点火スイッチ９８に対して作用させ易くなることから、従来に比べて軽い力で点火ボタン４３による点火操作を行うことができる。
【００４５】
さらに、点火操作末期においては、指掛け部４５２は、点火初期に比べて大きく下方に傾いた状態となる。これにより、力を加える位置は、指掛け部４５２の境界部４５５まで移動するので、押し込み方向Ｐは水平方向に近い角度まで傾く。なお、境界部４５５とは、上部傾斜面４５１と指掛け部４５２の境界部分である。ここで、点火ボタン４３及び点火スイッチ９８を側面から見た場合において、境界部４５５と、点火スイッチ９８と第二当接面６２の当接位置とを結ぶ仮想直線Ｑは、点火ボタン４３の押し込み方向Ｐに沿った方向に延びている。より具体的には、仮想直線Ｑは、点火ボタン４３の押し込み方向Ｐと重なっている。このような位置関係によって、コンロ１では、使用者による点火ボタン４３の押し込み力を、ダイレクトに点火スイッチ９８に作用させることができるので、軽い操作感で点火スイッチ９８を押し切ることができる。
【００４６】
さらに、図１３に示すように、第二当接面６２は、点火スイッチ９８の押し込みを完了させる際に、押し込み方向Ｐにおいて、点火スイッチ９８に対して正対した状態で当接している。これにより、使用者による押し込み力を、ダイレクトに点火スイッチ９８に作用させることができる。よって、さらに軽い操作感で、点火スイッチ９８を押し切ることができる。
【００４７】
点火スイッチ９８が押し切られることによって、マグネット式安全弁９９はガス流路を開き、左コンロバーナ６燃焼時の熱起電力によって開弁状態に保持される。これにより、バルブボディ９５のガス流入口からガス流路内にガスが流れ、機体部９２１内のガス流路を介して吐出口１０２から吐出される。吐出口１０２から吐出されたガスは、左コンロバーナ６のスロート部６Ａの流入口６Ｂに流入し、左コンロバーナ６に供給される。これと同時に、左コンロバーナ６の近傍に設けられたイグナイタ（図示略）が駆動することによって、左コンロバーナ６に点火される。このようにして左コンロバーナ６の点火操作が完了する。
【００４８】
［点火操作後］
点火操作が完了すると、使用者は、奥まで押し切った点火ボタン４３から指を離す。このとき、点火操作における点火ボタン４３の押し込みが解放されるので、プッシュプッシュ機構はメイン弁を開弁したまま、マグネット式安全弁９９を閉弁可能状態とする所定位置まで前方に移動し、点火スイッチ９８を係止する。これにより、左コンロバーナ６の燃焼状態が保持される。そして、図１４〜図１６に示すように、点火ボタン４３は点火スイッチ９８に押されて前方にやや揺動する。このとき、上面部４８の後端側の一部が、開口部３３の内側に隠れるが、点火標識部４８１は、開口部３３よりも前方に露出された状態を維持するので、使用者は、点火標識部４８１を視認することによって、左コンロバーナ６が点火され、燃焼状態であることを容易に認識できる。
【００４９】
なお、左コンロバーナ６を消火する場合、使用者は点火ボタン４３を再度押し込み、点火ボタン４３から指を離すと、プッシュプッシュ機構による点火スイッチ９８の係止が解除されるので、所定ストロークだけ前方にスピンドル９６を戻してメイン弁を閉弁させる。これにより、左コンロバーナ６へのガスの供給が遮断され、左コンロバーナ６が消火される。そして、点火スイッチ９８は前方に移動して元の位置に戻るので、点火ボタン４３は揺動軸５１，５２を中心に前方に揺動し、指掛け部４５２が略水平となる基本姿勢に戻る（図４〜図６参照）。
【００５０】
図１７を参照し、点火操作中における点火ボタン４３の上面部４８の角部の揺動軌道と、その視覚的効果について説明する。上記の通り、点火ボタン４３は、点火操作により、揺動軸５１，５２を中心に後方に揺動し、開口部３３に埋没していた点火標識部４８１が外部に露出されるように構成されている。ここで、点火ボタン４３及び点火スイッチ９８を側面から見た場合において、点火ボタン４３が揺動軸５１，５２を中心に揺動する際に、点火標識部４８１が設けられる上面部４８と上部傾斜面４５１との角部Ｅは、円弧状の軌道Ｒ上を移動する。軌道Ｒは、揺動軸５１，５２から角部Ｅまでの距離を半径とする円形状の軌道である。そのような軌道Ｒ上において、Ａ点は、点火操作中、左前パネル２５から最も前方に張り出すときの角部Ｅの位置である。本実施形態では、そのＡ点での接線方向Ｔは、左前パネル２５の上部傾斜面２６１に沿うように延びている。これにより、角部Ｅは、左前パネル２５の上部傾斜面２６１に沿った浅い角度で、徐々に前方に張り出すように揺動することができる。つまり、角部Ｅは、左前パネル２５の上部傾斜面２６１に沿うようにして移動することができる。よって、コンロ１は、使用者に対して、角部Ｅが大きく前方に突出した印象を与えるのを防止できる。
【００５１】
さらに、点火ボタン４３の揺動軸５１，５２は、指掛け部４５２よりも上方で、且つ上部傾斜面２６１よりも後方であって、上面部４８よりも下方に配置されている。そして、点火スイッチ９８が点火状態にあるときには、図１６に示すように、点火ボタン４３の境界部４５５が、左前パネル２５の上部傾斜面２６１よりも筐体２側に埋没した位置にある。これにより、点火ボタン４３を揺動させる際に、点火ボタン４３は全体として左前パネル２５の奥側に埋没するように移動するので、角部Ｅの突出した印象をさらに打ち消すことができる。よって、点火標識部４８１の突出感をさらに薄めることができる。
【００５２】
以上説明において左コンロバーナ６が本発明の「バーナ」の一例である。スピンドル９６、メイン弁（図示略）、戻しバネ９７、マグネット式安全弁９９が本発明の「開弁装置」の一例である。点火ボタン４３が本発明の「点火操作部」の一例である。点火ボタン４３の当接部６０の第一当接面６１が本発明の「第一当接部」の一例であり、第二当接面６２が本発明の「第二当接部」の一例である。点火ボタン４３の上部傾斜面４５１が本発明の「平面部」の一例である。点火ボタン４３の境界部４５５が本発明の「基端部」の一例である。
【００５３】
以上説明したように、本実施形態のコンロ１は、左コンロバーナ６にガスを供給するガス供給装置９０を備え、該ガス供給装置９０の点火スイッチ９８を後方に押し込むことにより、ガス供給装置９０内に設けられたメイン弁及びマグネット式安全弁を押し開き、左コンロバーナ６にガスを供給可能にする。コンロ１の左前パネル２５の開口部３３には支持枠８０が固定され、該支持枠８０には、点火ボタン４３が揺動可能に軸支されている。点火ボタン４３は、ガス供給装置９０の前側に配置され、左右方向に軸心を有する揺動軸５１，５２によって、支持枠８０に軸支されている。点火ボタン４３は、点火操作により、揺動軸５１，５２周りに揺動され、ガス供給装置から前方に延びる点火スイッチ９８を後方に押し込むことにより、ガス供給装置９０を駆動させ、左コンロバーナ６を点火又は消火させる。
【００５４】
そのような点火ボタン４３の背面側には、当接部６０が設けられている。当接部６０は、点火スイッチ９８に当接して後方に押し込む。当接部６０は、第一当接面６１と第二当接面６２を備える。第一当接面６１は、点火ボタン４３が非操作状態において点火スイッチ９８と対向する。第二当接面６２は、第一当接面６１よりも下方前方に位置し、点火操作により、点火ボタン４３が揺動軸５１，５２周りに後方に揺動され、点火スイッチ９８の押し込みを完了させる際に、点火スイッチ９８と対向して当接する。
【００５５】
さらに、点火ボタン４３の前面部４５には、上部傾斜面４５１と指掛け部４５２が設けられている。上部傾斜面４５１は、前面部４５のうち上部に設けられ、上側から下側に延びる部分である。指掛け部４５２は、上部傾斜面４５１の下端から前方に張り出し、使用者が指を掛ける部分である。そして、点火操作のうち、点火スイッチ９８の押し込みを完了させる末期において、点火ボタン４３及び点火スイッチ９８を側面から見た場合に、指掛け部４５２における上部傾斜面４５１の下端と接続する境界部４５５と、点火スイッチ９８と第二当接面６２の当接位置とを結ぶ仮想直線Ｑは、点火スイッチ９８の押し込み方向Ｐに沿った方向に延びている。これにより、使用者による押し込み力をダイレクトに点火スイッチに作用させることができるので、軽い操作感で点火スイッチを押し切ることができる。
【００５６】
なお、本発明は上記実施形態に限定されるものではなく、種々の変更が可能である。例えば、上記実施形態のコンロ１はグリル付きテーブルコンロであるが、グリス無しのテーブルコンロであってもよい。また、ビルトインタイプのコンロであってもよい。また、コンロ１は、右コンロバーナ５と左コンロバーナ６の２つのコンロバーナを備えるが、コンロバーナの数は２つに限らず、１つでもよく、３つ以上であってもよい。
【００５７】
上記実施形態では、左コンロバーナ６を点火させる点火ボタン４３を一例として説明したが、その他の点火ボタン４１，４２においても同様の構造を備えてもよい。
【００５８】
上記実施形態の点火ボタン４３の当接部６０は肉抜き成形され、複数のリブ６０１で構成されているが、通常の射出成形で、内部が詰まった当接部であってもよい。その場合、第一当接面６１及び第二当接面６２は、平面で構成すればよい。
【００５９】
上記実施形態では、点火ボタン４３に揺動軸５１，５２を設け、それらを左前パネル２５に固定された支持枠８０の一対の軸支穴８２１に軸支させているが、例えば、支持枠８０側に揺動軸を設け、その揺動軸に対して、点火ボタンを軸支させてもよい。
【００６０】
上記実施形態では、図１３に示すように、点火ボタン４３の点火操作末期においては、境界部４５５と、点火スイッチ９８と第二当接面６２の当接位置とを結ぶ仮想直線Ｑは、点火ボタン４３の押し込み方向Ｐと重なっているが、仮想直線Ｑは、少なくとも点火ボタン４３の押し込み方向Ｐに沿った方向に延びていればよく、必ずしも重なっていなくてもよい。また、仮想直線Ｑは、押し込み方向Ｐに対して平行でなくてもよい。
【００６１】
１    コンロ
６    左コンロバーナ
４３    点火ボタン
５１，５２    揺動軸
６０    当接部
６１    第一当接面
６２    第二当接面
９０    ガス供給装置
９６    スピンドル
９７    戻しバネ
９８    点火スイッチ
９９    マグネット式安全弁
４５１    上部傾斜面
４５２    指掛け部
４５５    境界部
【図１】
2018017443.tif 000003
【図２】
2018017443.tif 000004
【図３】
2018017443.tif 000005
【図４】
2018017443.tif 000006
【図５】
2018017443.tif 000007
【図６】
2018017443.tif 000008
【図７】
2018017443.tif 000009
【図８】
2018017443.tif 000010
【図９】
2018017443.tif 000011
【図１０】
2018017443.tif 000012
【図１１】
2018017443.tif 000013
【図１２】
2018017443.tif 000014
【図１３】
2018017443.tif 000015
【図１４】
2018017443.tif 000016
【図１５】
2018017443.tif 000017
【図１６】
2018017443.tif 000018
【図１７】
2018017443.tif 000019